(57)【要約】【課題】電極ボスの外径の変化に対しても、シールド機能を保持できるようにする電磁流量計を実現する。【解決手段】接液電極の取り付け穴の周囲の測定管に設けられた電極ボスと、この電極ボスに取り付けられこの電極ボスと共に前記接液電極をシールドする金属材よりなるキャップとを具備する電磁流量計において、多角形断面形状を有するキャップ本体と、このキャップ本体の側面に沿って設けられた少なくとも１個の切欠き部とを有するキャップを具備したことを特徴とする電磁流量計である。【選択図】図１
2010243356.tif 000002
【特許請求の範囲】
【請求項１】
接液電極の取り付け穴の周囲の測定管に設けられた電極ボスと、この電極ボスに取り付けられこの電極ボスと共に前記接液電極をシールドする金属材よりなるキャップとを具備する電磁流量計において、
蓋面に平行に多角形断面形状を有するキャップ本体と、
このキャップ本体の側面の前記蓋面に直交する方向に設けられた少なくとも１個の切欠き部と
を有するキャップ
を具備したことを特徴とする電磁流量計。
【請求項２】
前記キャップ本体は、三角形断面形状を有すること
を特徴とする請求項１記載の電磁流量計。
【請求項３】
前記キャップ本体は、Ｄ字型断面形状を有すること
を特徴とする請求項１記載の電磁流量計。
【発明の詳細な説明】
【技術分野】
【０００１】
本発明は、電磁流量計に関するものである。
更に詳述すれば、電磁流量形の電極を覆う金属製のキャップに関するものである。
【背景技術】
【０００２】
図８は、従来より一般に使用されている従来例の構成説明図で、例えば、特開２００２−１３９３５５号に示されている。
図において、１は測定管、２は測定管１に設けられたライニング体である。
【０００３】
３はライニング体２に設けられた接液電極である。
４は接液電極３の上部を覆う絶縁材の絶縁プレートである。
５は接液電極３の取り付け穴の周囲の測定管１に設けられた電極ボスである。
【０００４】
６は電極キャップで、電極ボス５と接液電極室７を構成する。
８は接液電極室７内の電極キャップ６と絶縁キャップ４との間に設けられ、接液電極３をライニング体２に押圧するばねである。
９は励磁コイルである。
【先行技術文献】
【特許文献】
【０００５】
【特許文献１】特開２００４−１６３１９３号公報
【特許文献２】特開２００４−３２５１５０号公報
【特許文献３】特開２００５−２０７９８４号公報
【発明の概要】
【発明が解決しようとする課題】
【０００６】
このような装置においては、以下の問題点がある。
電磁流量計の電極は発生した信号起電力をピックアップする機能を有するが、電磁流量計自身のもつ励磁コイルから発生する電気ノイズによって外乱を受けてしまう。
このため電極部分を金属で覆って、電気的にシールドし、耐ノイズ性を向上させる必要がある。
このため、電極ボスに金属性のキャップが取り付けられている。
【０００７】
金属キャップと電極ボスとは、シールドの機能を保つように、接触させながら取り付ける必要がある。
しかし、円筒状の電極ボスは、金属パイプや鋳物から製作されるケースが多く、直径の許容寸法差が大きく、例えば、±０．５ｍｍほどになってしまう。
金属キャップが電極ボスの直径の許容寸法差を吸収して接触することは難かしく、確実にシールド機能をはたすことは困難であった。
【０００８】
本発明の目的は、上記の課題を解決するもので、金属キャップを円筒形状から湾曲した多角形形状の断面形状とし、側面に切欠き部を設けることによって、電極ボスの外径の変化に対しても、シールド機能を保持できるようにする電磁流量計を提供することにある。
【課題を解決するための手段】
【０００９】
このような課題を達成するために、本発明では、請求項１の電磁流量計においては、
接液電極の取り付け穴の周囲の測定管に設けられた電極ボスと、この電極ボスに取り付けられこの電極ボスと共に前記接液電極をシールドする金属材よりなるキャップとを具備する電磁流量計において、蓋面に平行に多角形断面形状を有するキャップ本体と、このキャップ本体の側面の前記蓋面に直交する方向に設けられた少なくとも１個の切欠き部とを有するキャップを具備したことを特徴とする。
【００１０】
本発明の請求項２の電磁流量計においては、請求項１記載の電磁流量計において、
前記キャップ本体は、三角形断面形状を有すること
を特徴とする。
【００１１】
本発明の請求項３の電磁流量計においては、請求項１記載の電磁流量計において、
前記キャップ本体は、Ｄ字型断面形状を有することを特徴とする。
【発明の効果】
【００１２】
本発明の請求項１によれば、次のような効果がある。
円筒形状の電極ボスの寸法許容差が大きい場合でも、キャップが確実に電極ボスと接触してシールド機能を満足することができる電磁流量計が得られる。
【００１３】
本発明の請求項２によれば、次のような効果がある。
キャップ本体は、三角形断面形状を有するので、少なくとも３箇所において、キャップ本体が電極ボスに接触し、シールド機能が確実に確保できる電磁流量計が得られる。
【００１４】
キャップ本体は、三角形断面形状を有するので、少なくとも３箇所において、キャップ本体が電極ボスに接触し、構造体として安定的な固定が確保できる電磁流量計が得られる。
【００１５】
本発明の請求項３によれば、次のような効果がある。
キャップ本体は、Ｄ字型断面形状を有するので、半円形状に近く、製作し易く、安価な電磁流量計が得られる。
【図面の簡単な説明】
【００１６】
【図１】本発明の一実施例の要部構成説明図である。
【図２】図１の要部構成説明図である。
【図３】図２の斜視説明図である。
【図４】図１の動作説明図である。
【図５】図１の動作説明図である。
【図６】本発明の他の実施例の要部構成説明図である。
【図７】図６の動作説明図である。
【図８】従来より一般に使用されている従来例の要部構成説明図である。
【発明を実施するための形態】
【００１７】
以下本発明を図面を用いて詳細に説明する。
図１は本発明の一実施例の要部構成説明図、図２は図１の要部構成説明図、図３は図２の斜視説明図、図４は図１の動作説明図、図５は図１の動作説明図である。
図において、図８と同一記号の構成は同一機能を表す。
以下、図８との相違部分のみ説明する。
【００１８】
図１，図２，図３において、キャップ２１は、蓋面２１ａに平行に多角形断面形状を有するキャップ本体２１１と、このキャップ本体２１１の側面の蓋面２１ａに直交する方向に設けられた少なくとも１個の切欠き部２１２とを有する。
この場合は、多角形断面形状は、三角形断面形状が使用されている。
なお、図２において、（ａ）は正面図、（ｂ）は平面図、（ｃ）は側面図である。
図３において、（ａ）は斜視図、（ｂ）はキャップ２１を裏返した斜視図である。
【００１９】
以上の構成において、図４に示す如く、キャップ２１は、電極ボス５に取り付けられる。
ここで、図５（１）に示す如く、電極ボス５の寸法許容差が標準状態で、キャップ本体２１１は、電極ボス５に接触する。
図５（２）に示す如く、電極ボス５の外径許容差の最小状態でも、キャップ本体２１１は接触して電極ボス５に装着できるようにする。
【００２０】
また、図５（３）に示す如く、電極ボスの外径許容差が最大となったときでも、キャップ本体２１１の側面にある湾曲曲率が変化し、さらに、切欠部２１２が広がるため、電極ボス５に馴染むように機械的に接触する。
【００２１】
この結果、円筒形状の電極ボス５の寸法許容差が大きい場合でも、キャップ２１が確実に電極ボス５と接触してシールド機能を満足することができる電磁流量計が得られる。
キャップ本体２１１は、三角形断面形状を有するので、少なくとも３箇所において、キャップ本体が電極ボス５に接触し、シールド機能が確実に確保できる電磁流量計が得られる。
【００２２】
キャップ本体２１１は、三角形断面形状を有するので、少なくとも３箇所において、キャップ本体２１１が電極ボス５に接触し、構造体として安定的な固定が確保できる電磁流量計が得られる。
【００２３】
図６は、本発明の他の実施例の要部構成説明図で、（ａ）は正面図、（ｂ）は平面図、（ｃ）は側面図、図７は図６の動作説明図である。
図６において、キャップ３１は、電極キャップ形状をＤ型形状としてものである。
キャップ３１は、蓋面３１ａに平行に多角形断面形状を有するキャップ本体３１１と、このキャップ本体３１１の側面の蓋面３１ａに直交する方向に設けられた少なくとも１個の切欠き部３１２とを有する。
【００２４】
Ｄ型形状においても、図７（１）に示す如く、電極ボス５の寸法許容差が標準状態で、キャップ本体３１１は、電極ボス５に接触する。
図７（２）に示す如く、電極ボス５の外径許容差の最小状態でも、キャップ本体３１１は接触して電極ボス５に装着できるようにする。
【００２５】
また、図７（３）に示す如く、電極ボスの外径許容差が最大となったときでも、キャップ本体３１１の側面にある湾曲曲率が変化し、さらに、切欠部３１２が広がるため、電極ボス５になじむように機械的に接触する。
【００２６】
この結果、キャップ本体３１１は、Ｄ字型断面形状を有するので、半円形状に近く、製作し易く、安価な電磁流量計が得られる。
【００２７】
なお、以上の説明は、本発明の説明および例示を目的として特定の好適な実施例を示したに過ぎない。
したがって本発明は、上記実施例に限定されることなく、その本質から逸脱しない範囲で更に多くの変更、変形をも含むものである。
【符号の説明】
【００２８】
１      測定管
２      ライニング体
３      接液電極
４      絶縁プレート
５      電極ボス
６      電極キャップ
７      接液電極室
８      ばね
９      励磁コイル
２１    キャップ
２１ａ  蓋面
２１１  キャップ本体
２１２  切欠き部
３１    キャップ
３１ａ  蓋面
３１１  キャップ本体
３１２  切欠き部
（ａ）  
（ｂ）  
（ｃ）  
（ｄ）  
（ｅ）  
（１）  
（２）  
（３）  
（４）  
【図１】
2010243356.tif 000003
【図２】
2010243356.tif 000004
【図３】
2010243356.tif 000005
【図５】
2010243356.tif 000006
【図６】
2010243356.tif 000007
【図７】
2010243356.tif 000008
【図８】
2010243356.tif 000009
【図４】
2010243356.tif 000010